(57)【要約】      （修正有）【課題】簡便な装置構成でありながら、多様な展示品の展示に対応可能であり、かつ展示品の増減時に簡単に片付け保管したり、引出し増設したりすることができるディスプレイスタンドを提供する。【解決手段】ディスプレイスタンドは四本のパイプ脚からなり、四本のパイプ脚は、展示正面の一のパイプ脚１と背面の一のパイプ脚２とが、それぞれ左右を逆に小梁部材３によりＸ字状にリベット係合されて、Ｘ字状小梁交差部を棚として展示品を載置するともに、管端部に滑り止め性のあるキャップ部材５が装着された四か所のパイプ上端部を支点として展示品を載置できる。【選択図】図１
0003232020.tif 000002
【実用新案登録請求の範囲】
【請求項１】
展示品を展示する四本のパイプ脚からなるディスプレイスタンドであって、パイプ脚は、展示正面左右に二本、背面左右に二本配され、正面の一のパイプ脚と背面の一のパイプ脚とが、それぞれ左右を逆にパイプ脚中間部と下部の二か所で小梁部材が渡され締結され、それぞれの部位の小梁部材同士は可動な程度に挿通孔にてＸ字状にリベット係合されて、中間部又は下部のＸ字状小梁交差部を棚として展示品を載置できるとともに、各パイプ脚の管端部に滑り止め性のある材質からなるキャップ部材が装着されて、四か所のパイプ上端部を支点として展示品を載置できることを特徴とするディスプレイスタンド。
【請求項２】
正面の二本のパイプ脚が、高さ方向の長さが背面の二本のパイプ脚よりも短く構成され、四か所のパイプ上端部を支点として展示品を載置したときに、展示物の上面を正面方向に傾斜させて展示できることを特徴とする請求項１に記載のディスプレイスタンド。
【請求項３】
背面の二本のパイプ脚それぞれに、高さ方向の長さを延長することができる補助棒材を配備して正面二か所のパイプ上端部及び背面の延長させた二本の補助棒材上端部を支点として展示品を載置して、展示物の上面を正面方向に起立させて展示できることを特徴とする請求項１又は請求項２に記載のディスプレイスタンド。
【請求項４】
背面の二本のパイプ脚に配される補助棒材は、パイプ脚のパイプを内挿する所定長さの鞘管部材の外表面に棒材が長手上方向に突出するように固設されてなり、所定の高さにスライドさせたのち傾けて鞘管部材の上端部及び下端部とパイプ脚のパイプ外表面とを接触させて、棒材にかかる重力方向への回転モーメントによる接触抵抗により接触点が支点となって補助棒材が所定の高さで固定されるように構成されていることを特徴とする請求項３に記載のディスプレイスタンド。  
【考案の詳細な説明】
【技術分野】
【０００１】
本考案は、冠婚葬祭等の儀式や各種催事のときの花かごなどの展示品を展示するためのディスプレイスタンドに関する。
【背景技術】
【０００２】
冠婚葬祭等の儀式や講演会、発表会等の各種催事には、花かごや供物類などの多数の礼品が届けられて、これを参列者、出席者が見ることを前提に展示されている。このため、当該の展示品は、供給業者において予め鉢類の花器・容器にディスプレイされたものや、専用のかご状容器にディスプレイされて用意され、会場に届けられている。
【０００３】
こうした展示品は、鉢類であれば床又はテーブルなどに載置して展示されるものの、参列者・出席者の目線に合わせてより高い位置に展示されることが求められて、そのための専用のスタンド類が各種上市されているところである（例えば特許文献１乃至５参照。）。
【０００４】
また、冠婚葬祭等の儀式では、式の進行により展示品を入れ替えたり、展示品を分解・一部利用して他の儀式上の目的（例えば葬儀ディスプレイの模様替え等）に利用することがあるため、展示品が展示用のスタンド類から下されて、またスタンド類を片付けたり、また新しい展示物のための別のスタンド類をセッティングしたり、頻繁な展示スタンドの変更が必要となり、式の運営上の作業負担が大きいものとなっていた。
【先行技術文献】
【特許文献】
【０００５】
【特許文献１】特開平８−２８９８３９号公報
【特許文献２】実用新案登録第３１２０８３７号公報
【特許文献３】実用新案登録第３２０４８６２号公報
【特許文献４】実用新案登録第３１５６６２８号公報
【特許文献５】特開２００２−３４７５１号公報
【０００６】
例えば特許文献１乃至５にみられる公知技術によるディスプレイ用装置では、その明細書に明示されるように、前提としての一種類の展示品をより簡便に高度に展示するための専用装置となっているため、上述のように、展示品を入れ替えたり、展示品を片付けた後のスタンド類の移動やバックヤードで保管したりするうえでは、逆に取扱い負担の大きなものとなることが多い。
【考案の概要】
【考案が解決しようとする課題】
【０００７】
本考案の解決しようとする課題は、公知の技術にかかる専用品としての反面での不自由性を解消し、冠婚葬祭等の儀式や催事で発生する展示品の入れ替えやディスプレイ用具の移動や保管を容易化するためのディスプレイスタンドの構成に関するものである。
【０００８】
そのためには、一つの展示用具でありながら、多種多様な展示品の展示が可能なような簡易かつ柔軟に展示品の載置の仕方を変更させられる構成が求められる。
【０００９】
そのとき、展示品の多くは参列者・出席者の目線高さで展示品を展示すると同時に、供給業者がセットする容器類をそのままに利用して展示できることが求められるので、展示品を加工したり、展示品に何らかの展示用の部材を取り付けたりすることがないものであることが求められる。
【００１０】
一方、式の進行に合わせた展示品の引き下げや、展示品の個数の増減に対して、運営に携わる人員の展示用具の片付けやバックヤードでの保管を容易にさせる構成を持たせることが求められ、展示用具を部分品に分解したり、展示用具の占有面積がかさばったりすることのないような、コンパクト性かつ構成の単純さが実現されなければならない。
【００１１】
すなわち、より簡便な装置構成でありながら、多様な展示品の展示に対応可能であり、かつ展示品の増減時に簡単に片付け保管したり、引出し増設したりすることができるディスプレイスタンドが求められるものである。
【課題を解決するための手段】
【００１２】
本願考案者は、ディスプレイスタンドの構成にかかり、展示品（展示品のセット容器類）の種類が多様であっても、各種の簡易な可動部を設けた四本脚のスタンドに展示物を載置できる箇所を設けて、展示物の支持の形態を柔軟に変更することができ、かつ折り畳み性も実現することで、上述の課題を解消することができることを見出した。
【００１３】
本願考案は、展示品を展示する四本のパイプ脚からなるディスプレイスタンドであって、パイプ脚は、展示正面左右に二本、背面左右に二本配され、正面の一のパイプ脚と背面の一のパイプ脚とが、それぞれ左右を逆にパイプ脚中間部と下部の二か所で小梁部材が渡され締結され、それぞれの部位の小梁部材同士は可動な程度に挿通孔にてＸ字状にリベット係合されて、中間部又は下部のＸ字状小梁交差部を棚として展示品を載置できるとともに、各パイプ脚の管端部に滑り止め性のある材質からなるキャップ部材が装着されて、四か所のパイプ上端部を支点として展示品を載置できるよう構成されていることを特徴とするものである。
【００１４】
さらに、上記の正面の二本のパイプ脚が、高さ方向の長さが背面の二本のパイプ脚よりも短く構成され、四か所のパイプ上端部を支点として展示品を載置したときに、展示物の上面を正面方向に傾斜させて展示できるように構成されていることを特徴とするものである。
【００１５】
さらに加えて、前記の背面の二本のパイプ脚それぞれに、高さ方向の長さを延長することができる補助棒材を配備して正面二か所のパイプ上端部及び背面の延長させた二本の補助棒材上端部を支点として展示品を載置して、展示物の
上面を正面方向に起立させて展示できるように構成されていることを特徴とするものである。
【００１６】
また、上記の背面の二本のパイプ脚に配される補助棒材は、パイプ脚のパイプを内挿する所定長さの鞘管部材の外表面に棒材が長手上方向に突出するように固設されてなり、所定の高さにスライドさせたのち傾けて鞘管部材の上端部及び下端部とパイプ脚のパイプ外表面とを接触させて、棒材にかかる重力方向への回転モーメントによる接触抵抗により接触点が支点となって補助棒材が所定の高さで固定されるように構成されていることを特徴とするものである。
【考案の効果】
【００１７】
本願考案により、冠婚葬祭等での展示品（展示品のセット容器類）の種類が多様であっても、四本脚のスタンドに簡易な可動部を設け展示物を載置できる箇所を設けるとともに展示物の支持の形態を柔軟に変更でき、かつ折り畳み性も実現したディスプレイスタンドを提供することができる。
【図面の簡単な説明】
【００１８】
【図１】ディスプレイスタンドの外観構成を示す図。
【図２】ディスプレイスタンドでの展示品の載置例を示す図。
【図３】ディスプレイスタンドでのまた別の展示品の載置例を示す図。
【図４】補助棒材がパイプ脚に鞘管部材により固定される構成を説明する図。
【考案を実施するための最良の形態】
【００１９】
図１は、本願考案のディスプレイスタンドの外観構成を示したものである。本考案のディスプレイスタンドは四本のパイプ脚からなるものであり、展示品を展示する正面方向の左右の二本のパイプ脚と、それに対して背面側となる背面左右の二本のパイプ脚と区別される。展示される物品（展示品）の形状や性質から展示正面の方向のあるときは、その展示品の正面方向が正面二本のパイプ脚が前面側となるよう展示される。
【００２０】
ディスプレイスタンドの高さ方向の概中間部位に交互に渡されたＸ字状の小梁交差部には、図２のとおり展示品を載置する棚となっており、展示品を載置のうえは四本の脚により展示品が転倒しないような支えとなる。また、大きな皿状又は平板状の展示物の場合は、端部にキャップ部材を配したパイプ脚の三点又は四点を支持点として、パイプ脚の上端部に載置してもよい。
【００２１】
一般に、皿状又は平板状の展示品（例えば花輪や平箱に詰め合わされた供物等）は、参列者・出席者に対して展示正面が向くように展示品を立てかけることが多いが、そのときは図2のようにＸ字状梁交差部に載置のうえ、背面二本の脚に立てかけるように展示することができるほか、請求項２の考案のとおり背面のパイプ脚の上端部が正面のパイプ脚よりも高い位置になるよう構成されていたり、請求項３の考案のとおり背面のパイプ脚に補助棒材を配して背面二本のパイプ脚の上端部の支持点となる位置を上部方向に延伸させたりすることで、図３に示すように正面二本の脚と背面二本の脚を支持点として立てかけることができる。
【００２２】
Ｘ字状に交差される小梁部材やパイプ脚の材質は、当然に所定従量の展示品を載置し、支持するので金属材料等十分な強度のある材料からなるものである。また、パイプ脚端部のキャップ部材も十分な滑り止め性を発揮するゴム材料や弾性樹脂材料を材質としている。
【００２３】
Ｘ字状小梁交差部は、図1のようにパイプ脚の高さ方向の概中間部と下部に配されて、可動な程度に各交差部の小梁がリベット係合されているが、本願ではリベット係合とボルト・ナットによる螺止とに特段の差異のないことから区別していない。但し、Ｘ字状小梁交差部に展示物が載置されることもあるために、いずれの係止方法についても載置面となる部分は凸出することのないように、平坦化されるものとなる。
【００２４】
Ｘ字状小梁交差部が可動な係合となっていることで、ディスプレイスタンドの幅方向に折りたたむことができ、多数のスタンドのあるときも、収納・運搬を効率的に行うことができる。
【００２５】
図４は、請求項４の考案の、補助棒材がパイプ脚に鞘管部材により固定される構成を示す図である。背面の二本のパイプ脚に配される補助棒材は、パイプ脚のパイプを内挿して鞘管部材が配され、その鞘管部材の外表面に棒材が長手上方向に突出するように固設されてなる。補助棒材と鞘管部材との固設方法はいずれの方法で固設されてもよいが、図４は、プレート材を介して、プレート部材がパイプ脚長手方向で鞘管部材、補助棒材と熔接等の手段で固設されてなる例を示している。
【００２６】
鞘幹部材と補助棒材からなる延伸用部品は、所定の高さにスライドさせたのち傾けることで鞘管部材の上端部及び下端部とパイプ脚外表面が接触し、棒材にかかる重力方向への回転モーメントにより接触抵抗が増大するため、当該接触点が支点となって補助棒材が所定の高さで固定される。
【００２７】
当然に、延伸用部品の鞘管部材の端部に滑り止め性のある材質からなる部材を配したり、パイプ脚外表面に階段状の凹凸が形成されたりすることで、延伸用部品の固定を容易化することも選択されうる。延伸用部品を用いない時も考慮すれば、こうした延伸用のための部品・部材は出来るだけシンプルなものであることが好適である。
【産業上の利用可能性】
【００２８】
本願考案のディスプレイスタンドによれば、冠婚葬祭等の儀式や各種催事のときの展示物展示において、簡便な方法で多様な形態での展示が可能となるとともに、不使用時のディスプレイスタンドの収納や運搬を効率的にすることができ、冠婚葬祭業や催事関係業者らの幅広い需要に応えることができる。
【符号の説明】
【００２９】
１ 前面パイプ脚
２ 背面パイプ脚
３ 小梁部材
４ Ｘ字状小梁交差部
５ キャップ部材
６ 補助棒材
７ 鞘管部材
８ 接触点
９ 展示品
【図１】
0003232020.tif 000003
【図２】
0003232020.tif 000004
【図３】
0003232020.tif 000005
【図４】
0003232020.tif 000006